【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
ベース・レイヤ・データと、エンハンスメント・レイヤ・データとを含むビデオ・データを符号化するための方法であって、前記ベース・レイヤ、およびエンハンスメント・レイヤ・データは、複数のカラー・チャネルを有し、かつ、ベース・レイヤ、およびエンハンスメント・レイヤのデータは、異なるビット深度を有し、当該方法は、
前記ベース・レイヤ・データを符号化するステップと；
前記カラー・チャネルに対して別々に、前記ベース・レイヤ・データから前記エンハンスメント・レイヤ・データを予測するステップであって、前記ベース・レイヤ、およびエンハンスメント・レイヤは、異なるカラー符号化を使用し、かつ前記レイヤ間の予測は、イントラおよび／またはインター符号化のためのガンマ補正および色空間変換を更に有するところのステップと；
前記カラー・チャネルに対して別々に、前記予測されたエンハンスメント・レイヤ・データに基づき、前記エンハンスメント・レイヤ・データを符号化するステップとを有し；
少なくとも１つのモード中で、全ての利用できるベース・レイヤ・カラー・チャネルから、各々のエンハンスメント・レイヤ・カラー・チャネルが総合的に予測され、前記予測するステップは、前記ベース・レイヤ・カラー・チャネルの線形又は非線形結合を使用し、前記エンハンスメント・レイヤ・カラー・チャネルのうちの少なくとも１つに対して、当該方法は、
元のエンハンスメント・レイヤ・カラー・チャネルと予測されたカラー・チャネル・データとの差である残余データを生成するステップと；
前記元のエンハンスメント・レイヤ・カラー・チャネル・データを符号化するステップと；
前記残余データを符号化するステップと；
前記エンハンスメント・レイヤ・カラー・チャネルの少なくとも一つに対して、前記符号化された元のエンハンスメント・レイヤ・カラー・チャネル・データ、前記残余データ、または前記符号化された残余データのうちのいずれかを選択するステップであって、前記選択は、他のエンハンスメント・レイヤ・カラー・チャネルの選択とは独立しているところのステップと；
エンハンスメント・レイヤ出力データとして、前記選択されたエンハンスメント・レイヤ・カラー・チャネル・データ、および前記エンハンスメント・レイヤ・カラー・チャネルを参照する選択された符号化モードの指示を提供するステップと、
を更に有する方法。
【請求項２】
前記レイヤ間の予測は、イントラおよびインター符号化の両方のための色空間変換を有する、
請求項１記載の方法。
【請求項３】
前記色空間変換は、ＹＣｂＣｒ色空間（Ｒｅｃ．ＢＴ．７０９）からＲＧＢ色空間（Ｒｅｃ．ＢＴ．７０９）への変換を有する、
請求項１または２記載の方法。
【請求項４】
エンハンスメント・レイヤ・カラー・チャネル・データのための更なる符号化モードは、マクロブロック・レベルのスキップモードを有し、スキップモードで、前記エンハンスメント・レイヤ・データは、それぞれの前記マクロブロックのためのビットを含まない、
請求項１ないし３のいずれか１項記載の方法。
【請求項５】
異なるカラー・チャネルに亘る前記予測は、ピクチャーレベルで行われる、請求項１ないし４のいずれか１項記載の方法。
【請求項６】
異なるカラー・チャネルに亘る前記予測は、マクロブロック・レベルで行われる、請求項１ないし５のいずれか１項記載の方法。
【請求項７】
各々のベース・レイヤ、およびエンハンスメント・レイヤ・カラー・チャネルのためのエントロピー符号化を別々に行うステップ、  
を更に有する請求項１ないし６のいずれか１項記載の方法。
【請求項８】
ベース・レイヤ、およびエンハンスメント・レイヤ・データを含む符号化されたビデオ・データを復号化するための方法であって、
前記符号化されたビデオ・データから前記ベース・レイヤ・データ、および前記エンハンスメント・レイヤ・データを抽出するステップであって、前記ベース・レイヤ・データ、および前記エンハンスメント・レイヤは、複数のカラー・チャネルに対する別々のデータを有するところのステップと；
少なくとも前記エンハンスメント・レイヤの第１のカラー・チャネルに対して、符号化モードを示す指示を抽出するステップと；
前記複数のカラー・チャネルの前記ベース・レイヤ・データを復号化するステップと；
前記復号化されたベース・レイヤ・データに基づいて、前記エンハンスメント・レイヤ・データを予測するステップであって、前記予測するステップは、前記ベース・レイヤ・カラー・チャネルの線形又は非線形結合を使用し、かつ少なくとも一つのモードで、各々のエンハンスメント・レイヤ・カラー・チャネルは、全ての利用できるベース・レイヤ・カラー・チャネルから、総合的に予測され、かつ前記ベース・レイヤ、およびエンハンスメント・レイヤは、異なるカラー符号化を使用し、かつ前記レイヤ間の予測は、イントラおよび／またはインター符号化のためのガンマ補正および色空間変換を更に有するところのステップと；
前記複数のカラー・チャネルの前記エンハンスメント・レイヤ・データを復号化するステップであって、残余が取得され、かつ少なくとも前記第１のカラー・チャネルに対して、前記指示が前記示された符号化モードに従って復号化のために使われるところのステップと；
前記予測されたエンハンスメント・レイヤ・データ、および前記残余に基づいて、前記複数のカラー・チャネルの前記エンハンスメント・レイヤ・データを再構築するステップと；
を有する方法。
【請求項９】
前記レイヤ間の予測は、イントラおよびインター符号化の両方のための色空間変換を有する、
請求項８記載の方法。
【請求項１０】
前記色空間変換は、ＹＣｂＣｒ色空間（Ｒｅｃ．ＢＴ．７０９）からＲＧＢ色空間（Ｒｅｃ．ＢＴ．７０９）への変換を有する、
請求項８または９記載の方法。
【請求項１１】
ベース・レイヤと、エンハンスメント・レイヤとを含むビデオ・データを符号化するための装置であって、前記ベース・レイヤ、およびエンハンスメント・レイヤ・データは、複数のカラー・チャネルを有し、かつ、ベース・レイヤ、および、エンハンスメント・レイヤは、異なるビット深度を有し、当該装置は、
前記ベース・レイヤを符号化する手段と；
前記カラー・チャネルに対して別々に、前記ベース・レイヤから前記エンハンスメント・レイヤを予測する手段であって、前記ベース・レイヤ、およびエンハンスメント・レイヤは、異なるカラー符号化を使用し、かつ該予測する手段は、イントラおよび／またはインター符号化のためのガンマ補正および色空間変換を実行する手段を更に有するところの手段と；
前記カラー・チャネルに対して別々に、前記予測されたエンハンスメント・レイヤに基づき、前記エンハンスメント・レイヤを符号化する手段とを有し；
少なくとも１つのモード中で、全ての利用できるベース・レイヤ・カラー・チャネルから、各々のエンハンスメント・レイヤ・カラー・チャネルが総合的に予測され、前記予測する手段は、前記ベース・レイヤ・カラー・チャネルの線形又は非線形結合を使用し、前記エンハンスメント・レイヤ・カラー・チャネルのうちの少なくとも１つに対して、当該装置は、
元のエンハンスメント・レイヤ・カラー・チャネルと予測されたカラー・チャネル・イメージとの差である残余を生成する手段と；
前記元のエンハンスメント・レイヤ・カラー・チャネル・イメージを符号化する手段と；
前記残余を符号化する手段と；
前記エンハンスメント・レイヤ・カラー・チャネルの少なくとも一つに対して、前記符号化された元のエンハンスメント・レイヤ・カラー・チャネル・イメージ、前記残余、または前記符号化された残余のうちのいずれかを選択する手段であって、前記選択は、他のエンハンスメント・レイヤ・カラー・チャネルの選択とは独立しているところの手段と；
エンハンスメント・レイヤ出力データとして、前記選択されたエンハンスメント・レイヤ・カラー・チャネル・データ、および前記エンハンスメント・レイヤ・カラー・チャネルを参照する前記選択された符号化モードの指示を提供する手段と
を更に有する装置。
【請求項１２】
前記レイヤ間の予測を実行する手段は、イントラおよびインター符号化の両方のための色空間変換を実行する手段を有する、
請求項１１記載の装置。
【請求項１３】
前記色空間変換を実行する手段は、ＹＣｂＣｒ色空間（Ｒｅｃ．ＢＴ．７０９）からＲＧＢ色空間（Ｒｅｃ．ＢＴ．７０９）への変換を実行する、
請求項１１または１２記載の装置。
【請求項１４】
ベース・レイヤ、および、エンハンスメント・レイヤ・データを含む符号化されたビデオ・データを復号化するための装置であって、
前記符号化されたビデオ・データから、前記ベース・レイヤ・データ、および前記エンハンスメント・レイヤ・データを抽出する手段であって、前記ベース・レイヤ・データ、および前記エンハンスメント・レイヤは、複数のカラー・チャネルに対する別々のデータを有するところの手段と；
少なくとも前記エンハンスメント・レイヤの第１のカラー・チャネルに対して、符号化モードを示す指示を抽出する手段と；
前記複数のカラー・チャネルの前記ベース・レイヤ・データを復号化する手段と；
前記復号化されたベース・レイヤ・データに基づいて、前記エンハンスメント・レイヤ・データを予測する手段であって、前記予測する手段は、前記ベース・レイヤ・カラー・チャネルの線形又は非線形結合を使用し、少なくとも一つのモードで、各々のエンハンスメント・レイヤ・カラー・チャネルは、全ての利用できるベース・レイヤ・カラー・チャネルから、総合的に予測され、かつ前記ベース・レイヤ、およびエンハンスメント・レイヤは、異なるカラー符号化を使用し、かつ該予測する手段は、イントラおよび／またはインター符号化のためのガンマ補正および色空間変換を実行する手段を更に有するところの手段と；
前記複数のカラー・チャネルの前記エンハンスメント・レイヤ・データを復号化する手段であって、残余が取得され、かつ少なくとも前記第１のカラー・チャネルに対して、前記指示が前記示された符号化モードに従って復号化のために使われるところの手段と；
前記予測されたエンハンスメント・レイヤ・データ、および前記残余に基づいて、前記複数のカラー・チャネルの前記エンハンスメント・レイヤ・データを再構築する手段と；
を有する装置。
【請求項１５】
前記予測する手段は、イントラおよびインター符号化の両方のための色空間変換を実行する手段を更に有する、
請求項１４記載の装置。
【請求項１６】
前記色空間変換を実行する手段は、ＹＣｂＣｒ色空間（Ｒｅｃ．ＢＴ．７０９）からＲＧＢ色空間（Ｒｅｃ．ＢＴ．７０９）への変換を実行する、
請求項１４または１５記載の装置。
【請求項１７】
符号化されたビデオ信号であって、ベース・レイヤ、およびエンハンスメント・レイヤ・データを有し、前記ベース・レイヤ・データは、第１のカラー符号化の複数のカラー・チャネルを含み、前記エンハンスメント・レイヤ・データは、異なる第２のカラー符号化の複数のカラー・チャネルを含み、前記ベース・レイヤ・データ、およびエンハンスメント・レイヤ・データは、異なるカラービット深度を有し、かつ、当該信号は、少なくとも第１の前記エンハンスメント・レイヤ・カラー・チャネルに対して、符号化された残余データを含むか、それとも、符号化されたマクロブロック・データを含むかを示す、符号化モードの指示を更に有する、信号。